(57)【要約】【課題】掃除作業時の使用勝手に優れた空気噴射装置の提供。【解決手段】塵埃を吸引または空気を噴射するための開口部２と、吸引力が作用する吸引室６に配され吸引力で動作する吸引ファン５と、噴射室１０に配され噴射力を発生する噴射ファン９と、吸引ファン５の動力を噴射ファン９へ伝達する回転軸１３と、吸引ファン５を回転させる為の外気を取り込む空気取込口７と、開口部２から空気の吸引または噴射を作用させるための切替器１４を動作させる駆動手段１５と、空気取込口７から取り入れる外気の量を変える蓋体１７と、蓋体１７を動作させる為の蓋体駆動手段１８と、使用者が開口部２から噴射される空気の量を切り替える為の操作手段１９を備え、使用者が操作手段１９を操作することにより蓋体１７を動作させ、取り込む外気の量を調整することで、噴射ファン９の回転数を変えて、開口部２から噴射される空気量を変えることができる。【選択図】図１
2013052008.tif 000002
【特許請求の範囲】
【請求項１】
床面の塵埃を吸引または空気を噴射するための開口部と、吸引力が作用する吸引室と、空気を噴射するための機能を有する噴射室と、前記吸引室に配され吸引力により動作する吸引ファンと、前記噴射室に配され噴射力を発生する噴射ファンと、前記吸引ファンの動力を前記噴射ファンへ伝達する動力伝達手段と、前記吸引ファンを回転させる為に外気を取り込む空気取込口と、前記開口部から空気の吸引または噴射を作用させる為の切替器と、前記切替器を動作させる為の駆動手段と、前記空気取込口から取り入れる外気の量を変えるための蓋体と、前記蓋体を動作させる為の蓋体駆動手段と、使用者が前記開口部から噴射される空気の量を切り替える為の操作手段を備え、使用者が前記操作手段を操作することにより前記蓋体を動作させ、前記空気取込口から取り込む外気の量を調整することで、前記吸引ファン及び前記噴射ファンの回転数を変えて、前記開口部から噴射される空気量を変えることを特徴とした空気噴射装置。
【請求項２】
蓋体駆動手段の電源を商用電源から供給するようにした請求項１に記載の空気噴射装置。
【請求項３】
蓋体駆動手段の電源を二次電池から供給するようにした請求項１に記載の空気噴射装置。
【請求項４】
請求項１〜３のいずれか１項に記載された空気噴射装置を備えた電気掃除機。
【発明の詳細な説明】
【技術分野】
【０００１】
本発明は、空気を噴射することにより塵埃を吹き飛ばす空気噴射装置及びそれを用いた電気掃除機に関するものである。
【背景技術】
【０００２】
塵埃を吹き飛ばす機能（以下、ブロアー機能と称す）を備えた従来の技術の代表例は、電気掃除機の排気をブロアーに利用した形態が挙げられる（例えば、特許文献１参照）。
【０００３】
図８は、従来の空気を吹き飛ばす機能（ブロアー機能）を有する電気掃除機の全体図、図９は、同電気掃除機の通常使用時の横断面図、図１０は、同電気掃除機のブロアー機能使用時の横断面図を示す。
【０００４】
図８において、従来のこの種の電気掃除機の掃除機本体５０は、本体制御手段４９と、電動送風機５７と、集塵室５８を内蔵している。掃除機本体５０の前部に形成された接続口５１は、集塵室５８に連通すると共に、ホース５３の一端に配した接続パイプ５２が接続される。吸込口体５６は、ホース５３の他端に配した手元操作部５４もしくは延長管５５を介して集塵室５８と連通接続される。
【０００５】
図９、１０において、電動送風機支持壁５９は、上下２分割構成をとり、電動送風機５７の後端を、軟質ゴム６０を介して挟持する。電動送風機５７から排出される気流６２は、排気口６１より、掃除機本体５０の外部へと排出される。
【０００６】
電動送風機５７と排気口６１を連通する排気通路６３は、電動送風機支持壁５９と隔離壁６４とで閉ざされた空間を形成する。
【０００７】
回動軸６６により開閉自在な開閉蓋体６５の凸部６７は、接続パイプ５２を連通接続できる構成となっている連結口６８にはまり込む構成をとると共に、接続パイプ５２を連通接続した際には、電動送風機支持壁５９に当接し、排気通路６３を遮断する構成をとっている。
【０００８】
以上のように構成された従来の電気掃除機の作用、動作は以下の通りである。
【０００９】
図８に示すように、通常使用時には、接続口５１から吸引された気流６２は、電動送風機５７から排気通路６３を経て排気口６１から外部に排出される。なお、この時、開閉蓋体６５は閉じた状態にあり、開閉蓋体６５の凸部６７が、連結口６８にはまり込むことで外部からの空気の流入を防止している。
【００１０】
一方、図１０に示すように、ブロアー使用時に接続パイプ５２を連結口６８に連通接続すれば、開閉蓋体６５が回動し電動送風機支持壁５９と当接する位置で停止することで排気通路６３を遮断するため、接続口５１から吸引された気流６２は、電動送風機５７から排気通路６３の途中まで経て、連結口６８さらにはホース５３や延長管５５を経て外部へ噴射される。
【００１１】
また、図８に示すように、通常使用時には、ホース５３は、掃除機本体５０に接続されるが、このホース５３の他端にある手元操作部５４の先端あるいは、延長管５５の先端に接続して、吸気を利用して吸引ファンを回転させ、その動力で噴射ファンをまわすことで、別の空気取り入れ口から吸入した空気を噴射させるようにした空気噴射装置も提案され
ていた。
【先行技術文献】
【特許文献】
【００１２】
【特許文献１】特開２０００−２１７７４６号公報
【発明の概要】
【発明が解決しようとする課題】
【００１３】
しかしながら、従来の電気掃除機の排気をブロアーに利用した形態では、実際はクリーンな排気であっても、塵埃を吸引した排気を利用するという面で、不衛生なイメージを抱かれたり、従来例の様な塵埃の吸引に使用しているホースや延長管等を利用する形態の物では、経路に付着した微量な塵埃が噴射する恐れがあるなど、衛生面で懸念されて利用機会が減り、近年は、この形態でのブロアー機能付きの電気掃除機は少なくなっている。
【００１４】
また、従来のようなブロアー機能では、排気の強さを調整する機能が無い為、使用者の近傍にある塵埃にむけて噴射を行った場合、使用者の考えている以上の強さで塵埃を遠方へ吹き飛ばしてしまうことが考えられ、塵埃を周囲に撒き散らし汚してしまうという課題があった。
【００１５】
本発明は、以上のような従来の課題を解決しようとするものであって、衛生的なブロアー機能および吸引機能を持ち、使用者が必要に応じて噴射する空気量を調整することができるようにした、非常に使い勝手のよい空気噴射装置及びそれを用いた電気掃除機を提供することを目的としている。
【課題を解決するための手段】
【００１６】
上記従来の課題を解決するため、本発明の空気噴射装置は、床面の塵埃を吸引または空気を噴射するための開口部と、吸引力が作用する吸引室と、空気を噴射するための機能を有する噴射室と、前記吸引室に配され吸引力により動作する吸引ファンと、前記噴射室に配され噴射力を発生する噴射ファンと、前記吸引ファンの動力を前記噴射ファンへ伝達する動力伝達手段と、前記吸引ファンを回転させる為に外気を取り込む空気取込口と、前記開口部から空気の吸引または噴射を作用させる為の切替器と、前記切替器を動作させる為の駆動手段と、前記空気取込口から取り入れる外気の量を変えるための蓋体と、前記蓋体を動作させる為の蓋体駆動手段と、使用者が前記開口部から噴射される空気の量を切り替える為の操作手段を備え、使用者が前記操作手段を操作することにより前記蓋体を動作させ、前記空気取込口から取り込む外気の量を調整することで、前記吸引ファン及び前記噴射ファンの回転数を変えて、前記開口部から噴射される空気量を変えるもので、使用者が操作手段を操作して、噴射する空気量を自由に調整することができるため、非常に使い勝手のよい空気噴射装置を提供することができる。
【００１７】
また、本発明の電気掃除機は、請求項１〜３のいずれか１項に記載された空気噴射装置を備えたもので、使用者が空気噴射装置の操作手段を操作して、噴射する空気量を自由に調整することができるため、非常に使い勝手のよい電気掃除機を提供することができる。
【発明の効果】
【００１８】
本発明の空気噴射装置及びそれを用いた電気掃除機は、噴射する空気量を使用者が必要により調整することができるため、非常に使い勝手のよいものである。
【図面の簡単な説明】
【００１９】
【図１】本発明の実施の形態１における空気噴射装置の略断面図
【図２】同空気噴射装置の略断面図
【図３】同空気噴射装置の略断面図
【図４】（ａ）同空気噴射装置の略断面図、（ｂ）同空気噴射装置の略断面図
【図５】同空気噴射装置の操作手段の略図
【図６】同空気噴射装置の他の例を示す略断面図
【図７】同空気噴射装置の他の例を示す略断面図
【図８】従来の空気を吹き飛ばす機能（ブロアー機能）を有する電気掃除機の全体図
【図９】同電気掃除機の通常使用時の横断面図
【図１０】同電気掃除機のブロアー機能使用時の横断面図
【発明を実施するための形態】
【００２０】
第１の発明は、床面の塵埃を吸引または空気を噴射するための開口部と、吸引力が作用する吸引室と、空気を噴射するための機能を有する噴射室と、前記吸引室に配され吸引力により動作する吸引ファンと、前記噴射室に配され噴射力を発生する噴射ファンと、前記吸引ファンの動力を前記噴射ファンへ伝達する動力伝達手段と、前記吸引ファンを回転させる為に外気を取り込む空気取込口と、前記開口部から空気の吸引または噴射を作用させる為の切替器と、前記切替器を動作させる為の駆動手段と、前記空気取込口から取り入れる外気の量を変えるための蓋体と、前記蓋体を動作させる為の蓋体駆動手段と、使用者が前記開口部から噴射される空気の量を切り替える為の操作手段を備え、使用者が前記操作手段を操作することにより前記蓋体を動作させ、前記空気取込口から取り込む外気の量を調整することで、前記吸引ファン及び前記噴射ファンの回転数を変えて、前記開口部から噴射される空気量を変えるもので、使用者が操作手段を操作して、噴射する空気量を自由に調整することができるため、非常に使い勝手のよい空気噴射装置を提供することができる。
【００２１】
第２の発明は、特に、第１の発明の蓋体駆動手段の電源を商用電源から供給するようにしたもので、一般に、電動機で回転駆動される回転ブラシを内蔵した吸込具を備えた電気掃除機では、ホース、延長管に、電動機に商用電源を供給するための配線が内蔵されているので、その配線を利用すれば、新たな電源電線を用いることなく、空気噴射装置に内蔵された蓋体駆動手段への電源供給が容易にできる。
【００２２】
第３の発明は、特に、第１の発明の蓋体駆動手段の電源を二次電池から供給するようにしたもので、電源供給用の配線が内蔵されていないホースや延長管に接続しても使用できるので、使用勝手が大幅に向上する。
【００２３】
第４の発明に係る電気掃除機は、請求項１〜３のいずれか１項に記載された空気噴射装置を備えたもので、使用者が空気噴射装置の操作手段を操作して、噴射する空気量を自由に調整することができるため、非常に使い勝手のよい電気掃除機を提供することができる。
【００２４】
以下、本発明の実施の形態について、図面を参照しながら説明する。なお、この実施の形態によって本発明が限定されるものではない。
【００２５】
（実施の形態１）
図１は、本発明の実施の形態１における空気噴射装置の略断面図、図２は、同空気噴射装置の略断面図、図３は、同空気噴射装置の略断面図、図４（ａ）は、同空気噴射装置の略断面図、図４（ｂ）は、同空気噴射装置の略断面図、図５は、同空気噴射装置の操作手段の略図である。なお、図８〜１０に示す従来例と同一部分には、同一符号を付して、その説明を省略する。
【００２６】
本実施の形態における空気噴射装置１は、開口部２と、排出口４と、内部に吸引ファン
５を装備した吸引室６と、吸引ファン５を回転させる為に吸引室６内に外気を吸引する為の空気取込口７と、第２の空気取込口８と、内部に噴射ファン９を装備した噴射室１０と、吸引室６の底面に設けられ、噴射室１０と回転自在に連結保持した連結部１１と、連結部１１に固定された軸受１２と、軸受１２で回転自在に保持されると共に両端に吸引ファン５と噴射ファン９を保持した動力伝達手段である回転軸１３とを備えている。
【００２７】
また、吸引ファン５と噴射ファン９のそれぞれは、シロッコ形のファンで形成され、排出口４は、吸引室６上の吸引ファン５の回転中心部に、第２の空気取込口８は、噴射室１０上の噴射ファン９の回転中心部に、それぞれ連結部１１とは、反対側の面に開口して配されている。
【００２８】
開口部２と吸引室６の連通、または開口部２と噴射室１０との連通を切り替えるための切替器１４があり、切替器１４の近傍には、切替器１４を動作させる為の駆動手段１５および制御手段１６が備えられている。また、空気取込口７の開口部には、開口面積を変化させるための蓋体１７が備えられ、その蓋体１７を、蓋体駆動手段１８により動作させることができるようになっている。また、この蓋体駆動手段１８も、制御手段１６により動作が制御されている。また、使用者が操作を行いやすい場所に操作手段１９を配している。
【００２９】
以上のように構成された本実施の形態における空気噴射装置の動作を以下に説明する。
【００３０】
図２に示しているように、切替器１４を駆動手段１５によって噴射室１０側に移動した場合、掃除機本体５０に接続されているホース５３の先端または延長管５５の先端に排出口４を接続し、その状態で電気掃除機を動作させると、排出口４から強力な吸引風が発生する。
【００３１】
そのとき開口部２及び空気取込口７から、それぞれ外気が吸引され、図２に示している矢印のように、開口部２から排出口４、空気取込口７から排出口４へと吸気風が流れることとなる。空気取込口７からは、塵埃を吸引せず外気のみを吸引するように、空気取込口７の表面が全開しないように、網目状のような形状のもの（図示せず）で、塵埃が吸い込まれるのを防止するように覆う。また、使用者が、開口部２を掃除したい床面等に近づけたとき、床面に塵埃がある場合には、開口部２から塵埃を吸引し、排出口４から接続パイプ５２を通過して掃除機本体５０内の集塵室５８に収納される。
【００３２】
次に、図３に示しているように、切替器１４を駆動手段１５によって吸引室６側に移動させた場合、開口部２からは、切替器１４により風の流れが遮られるため開口部２からの吸引風は流れず、空気取込口７からは、図の様に排出口４に向かって吸引風量が発生する。
このとき、空気取込口７から吸引された吸引風によって、吸引ファン５を回転させることができる。回転した吸引ファン５は、軸受１２で保持された回転軸１３を通して吸引ファン５の動力を噴射ファン９に伝え、噴射ファン９を回転させる。回転した噴射ファン９は第２の空気取込口８から外気を吸引し開口部２から、吸引された空気を噴射する。図３には、その時の吸引風、噴射風の流れを矢印にて示している。
【００３３】
このように、切替器１４を切替えることにより、開口部２から吸引を行ったり、空気を噴射することができるようになり、開口部２を、掃除を行いたい床面等に近づけ、床面にある塵埃を吸引したり、逆に噴射することで掃除を行うことが可能となる。
【００３４】
次に、図４に示しているように空気取込口７に配されている蓋体１７について説明を行う。図４（ａ）のように、蓋体１７が開口部を全開する位置で停止している場合、空気取
込口７から吸引される吸気風は最大状態となる。この吸気風により吸引ファン５を回転させているため、この場合においては、吸引ファン５の回転数は最大の状態となる。吸引ファン５は、回転軸１３を介して噴射ファン９を同じ回転数で回転させている。したがって、噴射ファン９の回転数も最大状態となるため第２の空気取込口８から吸引する外気も最大の状態となり、その結果、開口部２から噴射される空気量も最大の状態となる。
【００３５】
次に、図４（ｂ）に示すように、蓋体１７が開口部を塞ぎ空気取込口７から吸引される吸引風を少なくした場合、空気取込口７から吸引される空気量は少なくなり、吸引ファン５及び噴射ファン９の回転数は小さくなる。したがって、この場合、第２の空気取込口８から吸引される外気も少ない状態となり、開口部２から噴射される空気量が少なくなる。
【００３６】
次に、図５に操作手段１９の例を示す。この図で示すように、使用者が上記説明の動作をさせるためのものである。「吸引」、「噴射」ボタンでは、切替器１４の動作を行うことができる。また「噴射」の中の「大」、「中」、「小」では、蓋体１７を動作させて噴射させる空気量を選択することができるものである。
【００３７】
次に、本発明の空気噴射装置は、手元操作部５４や延長管５５と接続して使用される。手元操作部５４及び延長管５５には、吸込口体５６への電源を供給するためにすでに配線がされている場合が多い。そこで、図６に示すように空気噴射装置１の接続部に電源供給線２０を配し、掃除機本体５０から手元操作部５４、延長管５５を介して電源供給を行うことができる。
【００３８】
また、図７に示すように、空気噴射装置１内に、電源２１を配し、空気噴射装置１単独で動作を行わせることも考えられる。この電源２１には、乾電池、二次電池、太陽電池、燃料電池など様々なものを使用することができる。
【００３９】
以上のように、本実施の形態によれば、使用者が操作手段１９を操作することで、噴射機能および吸引機能の切替および噴射する空気量を調整することが可能であり、非常に使い勝手のよい空気噴射装置を提供することができる。
【００４０】
また、上記実施の形態で述べた空気噴射装置１を、電気掃除機のホース５３や延長管５５の先端に接続すれば、非常に使い勝手のよい電気掃除機を提供することができる。
【産業上の利用可能性】
【００４１】
以上のように、本発明にかかる空気噴射装置及びそれを用いた電気掃除機は、開口部から空気を吸引し、塵埃があり吸引を行いたいところでは十分な吸引を行い、同時に開口部から、掃除を行う場所の状況に合わせて空気を噴射する量を使用者が調整し、通常の吸引では掃除しにくい場所を効率よく簡単に掃除することができ、非常に使い勝手が良く掃除を行うことができるもので、極めて有用である。
【符号の説明】
【００４２】
１  空気噴射装置
２  開口部
４  排出口
５  吸引ファン
６  吸引室
７  空気取込口
８  第２の空気取込口
９  噴射ファン
１０  噴射室
１１  連結部
１２  軸受
１３  回転軸（動力伝達手段）
１４  切替器
１５  駆動手段
１６  制御手段
１７  蓋体
１８  蓋体駆動手段
１９  操作手段
２０  電源供給線
２１  電源
【図１】
2013052008.tif 000003
【図２】
2013052008.tif 000004
【図３】
2013052008.tif 000005
【図４】
2013052008.tif 000006
【図５】
2013052008.tif 000007
【図６】
2013052008.tif 000008
【図７】
2013052008.tif 000009
【図８】
2013052008.tif 000010
【図９】
2013052008.tif 000011
【図１０】
2013052008.tif 000012